Podtech/llm-jp-corpus-v4-ja_patent huggingface dataset:
【手続補正書】
【提出日】平成27年7月15日(2015.7.15)
【手続補正１】
【補正対象書類名】特許請求の範囲
【補正対象項目名】全文
【補正方法】変更
【補正の内容】
【特許請求の範囲】
【請求項１】
液タンクと、該液タンクの中の液体を散布パイプに吐出するポンプと、該ポンプを駆動するエンジンとが一体的に組み付けられて、作業者が背負って噴霧作業をすることが可能な背負い式動力噴霧機において、
前記液タンクの下方に位置して、前記エンジンのためのスロットル弁を操作するスロットルレバーと、
該スロットルレバーの下方に位置して、該スロットルレバーの下面を保護するレバーガードとを有し、
前記液タンクの幅方向の側面のなかの最も側方へ突出した側端と、前記レバーガードの側端とを、通る直線に対して、前記スロットルレバーは前記液タンクの幅方向内側に配置されている背負い式動力噴霧機において、
前記液タンクが設けられたフレームと、
該フレームを作業者が背負うための背負いベルトとを、更に有し、
該背負いベルトの一端部には、該一端部を、前記フレームのなかの、前記スロットルレバーの近傍に取り付けるためのベルト取付け具が設けられ、
前記レバーガードと前記フレームとの少なくとも一方には、前記スロットルレバーに対する前記ベルト取付け具の接触を防止するためのストッパが設けられていることを特徴とする背負い式動力噴霧機。
【手続補正２】
【補正対象書類名】明細書
【補正対象項目名】０００７
【補正方法】変更
【補正の内容】
【０００７】
請求項１に係る発明によれば、液タンクと、該液タンクの中の液体を散布パイプに吐出するポンプと、該ポンプを駆動するエンジンとが一体的に組み付けられて、作業者が背負って噴霧作業をすることが可能な背負い式動力噴霧機において、前記液タンクの下方に位置して、前記エンジンのためのスロットル弁を操作するスロットルレバーと、該スロットルレバーの下方に位置して、該スロットルレバーの下面を保護するレバーガードとを有し、前記液タンクの幅方向の側面のなかの最も側方へ突出した側端と、前記レバーガードの側端とを、通る直線に対して、前記スロットルレバーは前記液タンクの幅方向内側に配置されていることを特徴とする背負い式動力噴霧機が提供される。
【手続補正３】
【補正対象書類名】明細書
【補正対象項目名】０００８
【補正方法】変更
【補正の内容】
【０００８】
さらに、請求項１に係る発明によれば、前記液タンクが設けられたフレームと、該フレームを作業者が背負うための背負いベルトとを、更に有し、該背負いベルトの一端部には、該一端部を、前記フレームのなかの、前記スロットルレバーの近傍に取り付けるためのベルト取付け具が設けられ、前記レバーガードと前記フレームとの少なくとも一方には、前記スロットルレバーに対する前記ベルト取付け具の接触を防止するためのストッパが設けられていることを特徴とする背負い式動力噴霧機が提供される。
【手続補正４】
【補正対象書類名】明細書
【補正対象項目名】００１２
【補正方法】変更
【補正の内容】
【００１２】
さらに、請求項１に係る発明では、背負いベルトの一端部にベルト取付け具が設けられている。該ベルト取付け具は、フレームのなかの、スロットルレバーの近傍に取り付けられる。レバーガードとフレームとの少なくとも一方には、スロットルレバーに対するベルト取付け具の接触を防止するためのストッパが設けられている。このため、該スロットルレバーを操作したときに、該スロットルレバーによる背負いベルトの巻き込みを防止することができる。
【手続補正書】
【提出日】平成27年7月3日(2015.7.3)
【手続補正１】
【補正対象書類名】明細書
【補正対象項目名】００２４
【補正方法】変更
【補正の内容】
【００２４】
スペーサー２２はそれぞれ、第一面２２Ａに連続的につながり、幅Ｂの流路を画定する第二面２２Ｂを有している。対向する第二面２２Ｂ間の距離は、対向する第一面２２Ａ間の距離より長い。したがって、第一面２２Ａで画定される一定の幅Ａより広い幅Ｂの流路を第二面２２Ｂにより画定することができる。第二面２２Ｂは複数の面で構成しても良いし、第二面２２Ｂは平面視で円弧となる曲面で構成しても良い。幅Ｂは、幅Ａより広い限りにおいて、一定幅である必要性はない。スペーサー２２の「平面視」とは、スペーサー２２の最も広い面を設置させた状態で上方からスペーサー２２を見ることを意味する。
【手続補正２】
【補正対象書類名】明細書
【補正対象項目名】００４０
【補正方法】変更
【補正の内容】
【００４０】
次に、本実施の形態においては、減圧チャンバー２４による減圧度は、減圧度上限値の２０％以上で、かつ減圧度上限値以下である範囲内であることが好ましい。図１１はダイコーター１０の断面図である、減圧度上限値は、塗布液のメニスカス６０が上流リップ２６の上流側の端部と接する状態を意味する。減圧度下限値は、点線で示す塗布液のメニスカス６０が上流リップ２６の下流側の端部と接する状態を意味する。減圧度は大きいことが好ましく、減圧度は減圧度上限値の２０％以上であることが好ましく、減圧度上限値の５０％以上がより好ましく、減圧度上限値の８０％以上であることがさらに好ましい。減圧度を上げることで厚膜部４４Ｂ−２の厚さを薄くできるからである。
【手続補正３】
【補正対象書類名】明細書
【補正対象項目名】００５６
【補正方法】変更
【補正の内容】
【００５６】
バックアップローラに巻き掛け支持されている連続走行する基材に、ダイコーターを用いて、乾燥後の塗膜の定常部の膜厚が５〜２５μｍとなるように、ハードコート層用の塗布液を塗布し、乾燥し塗布フィルムを製造した。形状の異なる複数のスペーサーを準備し、塗布する際に、スリットの両端部にスペーサーを配置した。比較例のスペーサーの形状を図１２（Ａ）〜（Ｃ）に示した。実施例のスペーサーの形状を図１３（Ｄ）〜（Ｆ）に示した。各スペーサーの各寸法を以下に示した。比較例の形状（Ａ）はＷ：５０ｍｍ、Ｌ：５０ｍｍであり、形状（Ｂ）はＷ１：５０ｍｍ、Ｗ２：５ｍｍ、Ｌ：５０ｍｍであり、形状（Ｃ）はＷ１：５０ｍｍ、Ｗ２：５ｍｍ、Ｌ１：５０ｍｍ、Ｌ２：１０ｍｍであった。
【手続補正４】
【補正対象書類名】明細書
【補正対象項目名】００５８
【補正方法】変更
【補正の内容】
【００５８】
［評価方法］
製造された塗布フィルムの膜厚を光干渉膜厚計で定常部４４Ａと端部４４Ｂとの差Ｔと、薄膜部（４４Ｂ−１）の長さ測定した。総合評価は、それぞれの測定結果に基づいて行った。条件、及び評価結果を表１に示す。差Ｔが８μｍ未満、及び薄膜部（４４Ｂ−１）の長さが６ｍｍ以下の両方を満たす場合をＧとし、いずれか一方でも満たさない場合をＮＧと評価した。
【手続補正５】
【補正対象書類名】明細書
【補正対象項目名】００５９
【補正方法】変更
【補正の内容】
【００５９】
【表１】
2015112572.tif 000001
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
沈殿池に貯留したマンガン及びアルミニウムの沈殿物、並びにニッケル及びコバルトを含むスラリー中の該マンガン沈殿物からマンガンが溶出することを抑制するマンガンの溶出抑制方法であって、
沈殿池中の上記スラリーのｐＨを８．０〜９．０とし、
上記スラリーは、ニッケル酸化鉱石からニッケル及びコバルトを浸出する高圧酸浸出法で生じる排水であり、
上記排水は、沈殿剤の石灰石及び消石灰により生成された上記マンガン及びアルミニウムの沈殿物を含むものであり、
得られるスラリー中のマンガン濃度は、１ｍｇ／Ｌ未満となることを特徴とするマンガンの溶出抑制方法。
【請求項２】
上記沈殿池での上記スラリーの貯留期間は、３０日以下であることを特徴とする請求項１記載のマンガンの溶出抑制方法。
【請求項３】
上記沈殿池から上澄みをポンプアップして外部に放出することを特徴とする請求項１又は請求項２記載のマンガンの溶出抑制方法。
【請求項４】
上記スラリーを上記沈殿池に放出する放出時に、該スラリーのｐＨが８．０〜１０．０であることを特徴とする請求項１乃至請求項３の何れか１項記載のマンガンの溶出抑制方法。
【手続補正２】
【補正対象書類名】明細書
【補正対象項目名】００１０
【補正方法】変更
【補正の内容】
【００１０】
本発明に係るマンガンの溶出抑制方法は、沈殿池に貯留したマンガン及びアルミニウムの沈殿物、並びにニッケル及びコバルトを含むスラリー中の該マンガン沈殿物からマンガンが溶出することを抑制するマンガンの溶出抑制方法であって、沈殿池中の上記スラリーのｐＨを８．０〜９．０とし、上記スラリーは、ニッケル酸化鉱石からニッケル及びコバルトを浸出する高圧酸浸出法で生じる排水であり、上記排水は、沈殿剤の石灰石及び消石灰により生成された上記マンガン及びアルミニウムの沈殿物を含むものであり、得られるスラリー中のマンガン濃度は、１ｍｇ／Ｌ未満となることを特徴とする。
【手続補正３】
【補正対象書類名】明細書
【補正対象項目名】００１５
【補正方法】変更
【補正の内容】
【００１５】
沈殿池に貯留されるスラリーとしては、例えばニッケル酸化鉱石からニッケル及びコバルトを高圧酸浸出させた際に生じる浸出残渣や浸出液からニッケルやコバルトを回収した後のろ液を中和処理設備にて石灰石パウダー及び消石灰パウダーで中和処理して生成した沈殿物を含むスラリーである。即ち、マンガンの溶出抑制方法は、例えばニッケル酸化鉱石の湿式製錬で生じた浸出残渣やろ液を含む排水を中和処理した後、沈殿池に貯留した排水のマンガン濃度が高まることを防止するため、マンガンの溶出を抑制するのに適用することができる。
【手続補正４】
【補正対象書類名】明細書
【補正対象項目名】００２１
【補正方法】変更
【補正の内容】
【００２１】
マンガンは、スラリーのｐＨが低下すると、沈殿物から溶出する。スラリーのｐＨとマンガン濃度との関係は、図１に示すスラリーのｐＨ及びマンガン濃度の測定結果からもわかる。
【手続補正５】
【補正対象書類名】明細書
【補正対象項目名】００２６
【補正方法】変更
【補正の内容】
【００２６】
ここで、スラリーのｐＨの低下と二酸化炭素との関係について、固形分（沈殿物）がない状態においてスラリーのｐＨを測定して別途調べた。その結果を図２に示す。なお、スラリーから沈殿物を除去したものの、全て取り除くことはできず、微量のマンガンが検出された。
【手続補正６】
【補正対象書類名】明細書
【補正対象項目名】００２７
【補正方法】変更
【補正の内容】
【００２７】
図２に示す結果から、スラリーから固形分（沈殿物）を除去した後、大気中に保持した場合でも、上述した固形分を含む場合と同様にスラリーのｐＨが７．７まで低下することがわかる。即ち、固形分の有無に関わらず、スラリーを大気中に保持するとスラリーのｐＨは７．７程度まで低下することがわかる。スラリーのｐＨの低下は、固形分がないと溶出するものがないため早くなる。したがって、スラリーのｐＨの低下は、上述したように空気中に含まれる酸性ガスの二酸化炭素のスラリーへの溶解が起因していることがわかる。
【手続補正７】
【補正対象書類名】明細書
【補正対象項目名】００２９
【補正方法】変更
【補正の内容】
【００２９】
以上のことから、マンガンの溶出抑制方法は、海や川への放流前のスラリーを外気と触れる沈殿池に貯留してもマンガン濃度が上昇することを抑制できる。これにより、マンガンの溶出抑制方法は、環境への影響を抑制でき、その効果は非常に大きいものである。
【手続補正書】
【提出日】平成27年10月6日(2015.10.6)
【手続補正１】
【補正対象書類名】特許請求の範囲
【補正対象項目名】全文
【補正方法】変更
【補正の内容】
【特許請求の範囲】
【請求項１】
遊技者による接触で操作が可能な操作演出手段と、
前記操作演出手段により実施される演出であって該操作演出手段における第１の視認態様と該第１の視認態様とは異なる第２の視認態様に変化可能な第１演出と、
前記操作演出手段により実施される演出であって少なくとも前記第１演出が前記第２の視認態様に変化するときに第３の視認態様に変化可能な第２演出と、
前記第１演出、及び前記第２演出を個別に、又は、連動して制御する制御手段と、
所定の操作有効期間において表示手段に前記操作演出手段を操作すべき旨の示唆表示を行う操作示唆手段と、
前記操作演出手段が操作されたことを検出する操作検出手段と、
前記第１演出が前記第１の視認態様にある場合、前記第２の視認態様に変化した後、又は、該第２の視認態様に変化する過程で、
前記第１演出、及び/又は、前記第２演出をカバーする演出用の空間を形成する空間形成手段と、
を備え、
前記制御手段は、
前記操作有効期間において、前記操作検出手段が前記操作を検出した場合に前記第２演出を実施可能なことを特徴とする遊技機。
【手続補正２】
【補正対象書類名】明細書
【補正対象項目名】０００１
【補正方法】変更
【補正の内容】
【０００１】
本発明は、遊技演出手段として有効に活用されていなかった演出と、その周辺のスペースを有効活用して演出性を一段と高めた遊技機に関する。
【手続補正３】
【補正対象書類名】明細書
【補正対象項目名】０００２
【補正方法】変更
【補正の内容】
【０００２】
遊技機には、遊技盤が装着された枠体と、この枠体に開閉自在に支持されて閉位置で遊技盤の盤面をカバーする透明板を有した開閉体とが設けられ、この開閉体の下部（透明板の下側）に遊技球を貯留する受け皿を有する皿ユニットが設けられている。
近年主流の遊技機では、特許文献１、２にあるように、ソレノイド等の電動アクチュエータを作動させて押ボタンを突出させることにより、遊技中に適時に強烈なインパクトを与えて押ボタンの存在を遊技者に知らしめることができ、遊技性を向上させる旨が記載されている。
しかし、演出ボタンを含む演出が皿ユニット上面に突出する程度の演出ではインパクトが少なく、遊技者の退屈感を払拭するには至っていない。
従来の遊技機における演出は単純なものに留まっており、十分に活用されていなかった。
【手続補正４】
【補正対象書類名】明細書
【補正対象項目名】０００４
【補正方法】変更
【補正の内容】
【０００４】
本発明は、演出ユニットによる演出の外観を変化させることにより、遊技者の興趣を高めて、退屈感をもたらさないようにすることができる遊技機を提供することを目的としている。
【手続補正５】
【補正対象書類名】明細書
【補正対象項目名】０００５
【補正方法】変更
【補正の内容】
【０００５】
上記目的を達成するため、請求項１に係る遊技機は、遊技者による接触で操作が可能な操作演出手段（演出ユニット５）と、前記操作演出手段により実施される演出であって該操作演出手段における第１の視認態様と該第１の視認態様とは異なる第２の視認態様に変化可能な第１演出（第１演出部により実施される演出）と、前記操作演出手段により実施される演出であって少なくとも前記第１演出が前記第２の視認態様に変化するときに第３の視認態様に変化可能な第２演出（第２演出部により実施される演出）と、前記第１演出、及び前記第２演出を個別に、又は、連動して制御する制御手段と、所定の操作有効期間において表示手段に前記操作演出手段を操作すべき旨の示唆表示を行う操作示唆手段（制御手段）と、前記操作演出手段が操作されたことを検出する操作検出手段（演出ボタン検出部５２）と、前記第１演出が前記第１の視認態様にある場合、前記第２の視認態様に変化した後、又は、該第２の視認態様に変化する過程で、前記第１演出、及び/又は、前記第２演出をカバーする演出用の空間を形成する空間形成手段（空間形成部材２００）と、を備え、前記制御手段は、前記操作有効期間において、前記操作検出手段が前記操作を検出した場合に前記第２演出を実施可能なことを特徴とする。
「第１位置」と「第２位置」が共に遊技者にとって「視認可能な位置」であり、「視認可能な位置」は「視認可能な態様」、即ち「視認態様」である。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明によれば、演出ユニットによる演出の外観を変化させることにより、遊技者の興趣を高めて、退屈感をもたらさないようにすることができる。
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
ゲームを実行するコンピュータにおけるゲーム制御方法であって、
プレイヤが所有している、前記ゲームにおけるプレイヤによる攻撃及び対戦相手による攻撃を含むバトル又は前記ゲームのシナリオに従って進行するクエストが実行されるたびに消費される所有ポイント、前記所有ポイントを回復させるための回復アイテム、及び、前記回復アイテムと交換するための回復ポイントを記憶させ、
前記所有ポイントが所定値未満となった場合に、前記回復アイテムの所有数が前記所有ポイントを回復するための必要数未満である場合、前記回復ポイントを前記回復アイテムに交換し、前記回復アイテムを用いて前記所有ポイントを自動的に回復させる、
ことを含むことを特徴とするゲーム制御方法。
【請求項２】
プレイヤによる前記所有ポイントを自動的に回復させるか否かの設定を受け付け、
前記所有ポイントを自動的に回復させることが設定された場合に限り、前記所有ポイントを自動的に回復させる、請求項１に記載のゲーム制御方法。
【請求項３】
プレイヤによる自動使用可能な前記回復アイテムの数及び／又は種類の設定を受け付け、
前記所有ポイントを自動的に回復させるために、前記自動使用可能な数及び／又は種類の前記回復アイテムのみが用いられる、請求項１または２に記載のゲーム制御方法。
【請求項４】
プレイヤによる自動使用可能な前記回復ポイントの値の設定を受け付け、
前記所有ポイントを自動的に回復させるために、前記自動使用可能な値の前記回復ポイントのみが用いられる、請求項１〜３の何れか一項に記載のゲーム制御方法。
【請求項５】
前記所有ポイントを自動的に回復させた回数を記憶させ、
前記回数に応じて、プレイヤに特典を付与する、請求項１〜４の何れか一項に記載のゲーム制御方法。
【請求項６】
前記所有ポイントを自動的に回復させた回数を記憶させ、
前記回数に応じて、前記所有ポイントの回復率又は回復量を変化させる、請求項１〜５の何れか一項に記載のゲーム制御方法。
【請求項７】
前記所有ポイントを自動的に回復させた回数を記憶させ、
前記回数に応じて、前記所定値を変化させる、請求項１〜６の何れか一項に記載のゲーム制御方法。
【請求項８】
前記所有ポイントを自動的に回復させる場合の回復率又は回復量と、前記所有ポイントをプレイヤの指示に従って回復させる場合の回復率又は回復量とを記憶させ、
前記所有ポイントを自動的に回復させる場合の回復率又は回復量は、前記所有ポイントをプレイヤの指示に従って回復させる場合の回復率又は回復量よりも大きく設定する、請求項１〜７の何れか一項に記載のゲーム制御方法。
【請求項９】
プレイヤ毎に、プレイヤに関連する他のプレイヤと、前記他のプレイヤが所有する所有ポイントとを記憶し、
前記プレイヤの所有ポイントを自動的に回復させた場合に、当該プレイヤに関連する他のプレイヤの所有ポイントも自動的に回復させる、請求項１〜８の何れか一項に記載のゲーム制御方法。
【請求項１０】
プレイヤに関連する他のプレイヤとは、プレイヤと同一のグループに所属する他のプレイヤ、プレイヤとフレンド関係にある他のプレイヤ、又は、過去の対戦もしくはクエストにおいてプレイヤを救援した他のプレイヤである、請求項９に記載のゲーム制御方法。
【請求項１１】
前記バトルについての所有ポイントと、前記クエストについての所有ポイントをそれぞれ記憶し、
前記バトルについての所有ポイント及び前記クエストについての所有ポイントのうちの一方の所有ポイントを自動的に回復させた場合に、他方の所有ポイントも自動的に回復させる、請求項１〜１０の何れか一項に記載のゲーム制御方法。
【請求項１２】
ゲームを実行するコンピュータであって、
プレイヤが所有している、前記ゲームにおけるプレイヤによる攻撃及び対戦相手による攻撃を含むバトル又は前記ゲームのシナリオに従って進行するクエストが実行されるたびに消費される所有ポイント、前記所有ポイントを回復させるための回復アイテム、及び、前記回復アイテムと交換するための回復ポイントを記憶している記憶部と、
前記所有ポイントが所定値未満となった場合に、前記回復アイテムの所有数が前記所有ポイントを回復するための必要数未満である場合、前記回復ポイントを前記回復アイテムに交換し、前記回復アイテムを用いて前記所有ポイントを自動的に回復させる自動回復部と、
を備えることを特徴とするコンピュータ。
【請求項１３】
ゲームを実行するコンピュータの制御プログラムであって、
プレイヤが所有している、前記ゲームにおけるプレイヤによる攻撃及び対戦相手による攻撃を含むバトル又は前記ゲームのシナリオに従って進行するクエストが実行されるたびに消費される所有ポイント、前記所有ポイントを回復させるための回復アイテム、及び、前記回復アイテムと交換するための回復ポイントを記憶し、
前記所有ポイントが所定値未満となった場合に、前記回復アイテムの所有数が前記所有ポイントを回復するための必要数未満である場合、前記回復ポイントを前記回復アイテムに交換し、前記回復アイテムを用いて前記所有ポイントを自動的に回復させる、
ことを前記コンピュータに実行させることを特徴とする制御プログラム。
【手続補正書】
【提出日】平成27年10月20日(2015.10.20)
【手続補正１】
【補正対象書類名】特許請求の範囲
【補正対象項目名】全文
【補正方法】変更
【補正の内容】
【特許請求の範囲】
【請求項１】
画像群を記憶する記憶部と、
前記画像群から、所定の特徴を有する画像を特定画像として特定する画像特定部と、
前記画像群に含まれる画像を表示する表示部と、
前記画像を前記記憶部から時系列順又は時系列の逆順に取得し、取得した順に前記画像を前記表示部に表示させる表示制御部と、
前記表示制御部が前記表示部に表示させる表示対象の画像から、該表示対象の画像に対して表示順序が所定枚数後又は表示時刻が所定時間後の画像までの範囲に、前記画像特定部により特定された特定画像が含まれるか否かを判定する判定部と、
前記範囲に前記特定画像が含まれると判定された場合に、前記特定画像が存在する旨の情報を表す表示データを生成する表示データ生成部と、
を備え、
前記表示制御部は、前記表示対象の画像を含む画面を作成すると共に、前記表示データを前記範囲に含まれる前記特定画像の特性に応じた態様で前記画面に配置することを特徴とする画像処理装置。
【請求項２】
前記範囲に含まれる前記特定画像の特性は、前記表示対象の画像から該特定画像までの画像の枚数若しくは表示時間、該特定画像が有する所定の特徴の種類、又は、該特定画像が有する所定の特徴の特徴量の大きさであることを特徴とする請求項１に記載の画像処理装置。
【請求項３】
前記表示データは、前記表示対象の画像の周囲に設けられた表示枠であることを特徴とする請求項１又は２に記載の画像処理装置。
【請求項４】
前記表示制御部は、前記範囲に含まれる前記特定画像の特性に応じて前記表示枠の色調と点滅周期との少なくとも一方を変化させることを特徴とする請求項３に記載の画像処理装置。
【請求項５】
前記特定画像が有する前記所定の特徴が、該特定画像内に存在する所定の特徴部である場合、
前記画像特定部は、前記特定画像における前記特徴部の存在領域を特定し、
前記表示制御部は、前記範囲に含まれる前記特定画像における前記特徴部の存在領域に応じて、前記表示データの前記画面における配置を決定することを特徴とする請求項１又は２に記載の画像処理装置。
【請求項６】
前記表示データは、前記表示対象の画像の周囲の一部に設けられる部分的な表示枠であることを特徴とする請求項５に記載の画像処理装置。
【請求項７】
前記表示データは、前記表示対象の画像の近傍に配置されるアイコンであり、
前記表示制御部は、前記範囲に含まれる前記特定画像の特性に応じて、前記アイコンのサイズ、前記アイコンの表示位置、及び前記アイコンの点滅周期のうちの少なくとも１つを変化させることを特徴とする請求項１又は２に記載の画像処理装置。
【請求項８】
前記表示データは、前記画面に配置される入力用のアイコンであり、
外部からの操作を入力する入力部と、
前記画面において前記入力用のアイコンを選択する操作が前記入力部から入力された場合に、前記表示部に表示させる画像を前記特定画像にスキップさせるスキップ部と、
をさらに備えることを特徴とする請求項１〜７のいずれか１項に記載の画像処理装置。
【請求項９】
前記画像群は、被検体内に導入されたカプセル型内視鏡が該被検体内を順次撮像することにより取得された画像を含み、
前記特定画像は、画像内の所定の特徴量が所定の範囲内である画像、所定の特徴部が検出された画像、隣接する画像との類似度が所定値以下である画像、特定の位置若しくは領域が写った画像、又は、当該画像が撮像された際の前記カプセル型内視鏡の動きの変化が所定値以上である画像であることを特徴とする請求項１〜８のいずれか１項に記載の画像処理装置。
【手続補正書】
【提出日】平成27年6月30日(2015.6.30)
【手続補正１】
【補正対象書類名】特許請求の範囲
【補正対象項目名】全文
【補正方法】変更
【補正の内容】
【特許請求の範囲】
【請求項１】
遊技媒体を用いて遊技を行うことが可能な遊技機であって、
所定条件が成立した後に、特定領域を遊技媒体が通過したことにもとづいて、可変入賞装置を作動させる可変入賞装置制御手段と、
前記所定条件が成立した後に、前記特定領域への発射操作を促す発射促進報知を実行する発射促進報知実行手段とを備え、
前記可変入賞装置制御手段は、有利度が異なる複数種類の作動態様のうちのいずれかの作動態様で前記可変入賞装置を作動させることが可能であり、
前記発射促進報知実行手段は、
複数種類の報知態様の前記発射促進報知を実行可能であり、
成立した前記所定条件の種類に応じて異なる割合で、前記複数種類の報知態様のうちのいずれかの報知態様の前記発射促進報知を実行する
ことを特徴とする遊技機。
【手続補正２】
【補正対象書類名】明細書
【補正対象項目名】００１０
【補正方法】変更
【補正の内容】
【００１０】
（手段１）本発明による遊技機は、遊技媒体（例えば、遊技球）を用いて遊技を行うことが可能な遊技機であって、所定条件が成立（例えば、大当り図柄を停止表示）した後に、特定領域（例えば、特定ゲート２００）を遊技媒体が通過したことにもとづいて、可変入賞装置（例えば、特別可変入賞球装置２０（大入賞口））を作動させる可変入賞装置制御手段（例えば、遊技制御用マイクロコンピュータ５６０におけるステップＳ１３３〜Ｓ１３７，Ｓ１４０１〜Ｓ１４０７，Ｓ１４５１〜Ｓ１４６６を実行する部分）と、所定条件が成立した後に、特定領域への発射操作を促す発射促進報知（例えば、図４３（６）、図４４（６）および図４５（６）に示す右打ち演出）を実行する発射促進報知実行手段（例えば、演出制御用マイクロコンピュータ１００におけるステップＳ８６５〜Ｓ８７１，Ｓ８２０２〜Ｓ８２０６を実行する部分）とを備え、可変入賞装置制御手段は、有利度が異なる複数種類の作動態様のうちのいずれかの作動態様で可変入賞装置を作動させることが可能であり（例えば、図９および図１０に示すように、２９秒間の大入賞口の開放制御と１秒間の大入賞口の開放制御とを行うことが可能である）、発射促進報知実行手段は、複数種類の報知態様の発射促進報知を実行可能であり（例えば、図３６に示すように、右打ち演出Ａ〜Ｃの３種類の右打ち演出を実行可能である）、成立した所定条件の種類に応じて異なる割合で、複数種類の報知態様のうちのいずれかの報知態様の発射促進報知を実行する（例えば、図３６に示すように、２９秒間の開放制御が行われる通常大当りや確変大当りでは右打ち演出Ａの実行割合が高く、１秒間の開放制御が行われる突然通常大当りでは右打ち演出Ｃの実行割合が高い）ことを特徴とする。そのような構成によれば、発射促進報知を実行する場合の遊技の興趣を向上させることができる。
【手続補正書】
【提出日】平成27年7月2日(2015.7.2)
【手続補正１】
【補正対象書類名】特許請求の範囲
【補正対象項目名】全文
【補正方法】変更
【補正の内容】
【特許請求の範囲】
【請求項１】
識別情報の可変表示を行う可変表示手段に特定表示結果が導出表示されたときに、遊技者にとって有利な有利状態に制御する遊技機であって、
表示結果が導出表示される以前に、特定演出の実行の有無を決定する特定演出実行決定手段と、
識別情報と同期して特殊画像を表示する特殊画像表示制御手段とを備え、
前記特定演出実行決定手段による決定結果にもとづいて異なる割合で、停止表示する識別情報と同期する前記特殊画像の組み合わせを選択して識別情報の表示制御を行う
ことを特徴とする遊技機。
【手続補正２】
【補正対象書類名】明細書
【補正対象項目名】０００１
【補正方法】変更
【補正の内容】
【０００１】
本発明は、識別情報の可変表示を行う可変表示手段に特定表示結果が導出表示されたときに、遊技者にとって有利な有利状態に制御する遊技機に関する。
【手続補正３】
【補正対象書類名】明細書
【補正対象項目名】０００９
【補正方法】変更
【補正の内容】
【０００９】
（手段１）本発明による遊技機は、識別情報の可変表示を行う可変表示手段（例えば、演出表示装置９）に特定表示結果（例えば、大当り図柄）が導出表示されたときに、遊技者にとって有利な有利状態（例えば、大当り遊技状態）に制御する遊技機であって、表示結果が導出表示される以前に、特定演出（例えば、擬似連）の実行の有無を決定する特定演出実行決定手段（例えば、遊技制御用マイクロコンピュータ５６０における、ステップＳ１０５を実行することで、擬似連を実行する変動パターンと実行しない変動パターンとから、一の変動パターンを選択する部分）と、識別情報と同期して特殊画像（例えば、特殊画像３５００）を表示する特殊画像表示制御手段（例えば、演出制御用マイクロコンピュータ１００における、ステップＳ５０４において特殊画像に応じたプロセステーブルを選択し、ステップＳ５０６，Ｓ８４４において該プロセステーブルにおけるプロセスデータの内容にしたがって演出表示装置９を制御する部分）とを備え、特定演出実行決定手段による決定結果にもとづいて異なる割合で、停止表示する識別情報と同期する特殊画像の組み合わせ（例えば、成功組み合わせ）を選択して識別情報の表示制御を行う（例えば、図２９に示す擬似連成功組み合わせ選択テーブルを用いてステップＳ２８０９において成功組み合わせを選択して、演出図柄の変動を行う）ことを特徴とする。そのような構成によれば、特定演出の実行の有無に関する多様性を高めることができ、興趣を向上させることができる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
（手段２）手段１において、特殊画像が同期する識別情報が停止表示された場合に特定演出を実行する演出実行手段（例えば、演出制御用マイクロコンピュータ１００における、ステップＳ５０６，Ｓ８４４を行う部分）を備え、演出実行手段は、特定演出として、識別情報の可変表示が開始されてから識別情報の表示結果が導出表示されるまでに、識別情報の可変表示を再度実行する所定回の再可変表示（例えば、再変動）を伴う再可変表示演出（例えば、擬似連演出）を実行し、再可変表示の回数にもとづいて異なる割合にて、停止表示する識別情報と同期する特殊画像の組み合わせを選択して識別情報の表示制御を行う（例えば、Ｋの値にもとづいて図２９（１），（２）に示すいずれかの擬似連成功組み合わせ選択テーブルを用いてステップＳ２８０９において成功組み合わせを選択して、演出図柄の変動を行う）こととしてもよい。そのような構成によれば、再可変表示が行われる度に、遊技者を特定演出の実行の有無に注目させることができ、興趣を向上させることができる。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
（手段３）手段１または手段２において、特定演出実行決定手段による決定結果にもとづいて異なる割合にて、複数の特殊画像（例えば、第１特殊画像態様、第２特殊画像態様）から一の特殊画像を選択する特殊画像選択手段（例えば、演出制御用マイクロコンピュータ１００における、ステップＳ２８１０を行う部分）を備え、特殊画像表示制御手段は、特殊画像選択手段によって選択された一の特殊画像を表示することとしてもよい。そのような構成により、表示される特殊画像の種類によって特定演出の実行の有無を示唆することにより、特定演出の実行の有無に関する多様性を高めることができ、興趣を向上させることができる。
【手続補正８】
【補正対象書類名】明細書
【補正対象項目名】００１４
【補正方法】変更
【補正の内容】
【００１４】
（手段４）手段１から手段３のいずれかにおいて、複数の予告演出（例えば、本例の第１予告演出〜第４予告演出の他、大当り種別が確変大当りであることや、潜伏確変状態に制御されていることを予告する予告演出や、先読み予告演出など）のうち実行する予告演出を決定する予告演出決定手段（例えば、演出制御用マイクロコンピュータ１００におけるステップＳ５００１〜Ｓ５００４を実行する部分）と、予告演出決定手段によって実行すると決定された予告演出を実行する予告演出実行手段（例えば、演出制御用マイクロコンピュータ１００におけるステップＳ５０６，Ｓ８４５を実行する部分）と、識別情報の可変表示パターン（例えば、変動パターン）を決定する可変表示パターン決定手段（例えば、遊技制御用マイクロコンピュータ５６０におけるステップＳ１０５を実行する部分）とを備え、可変表示実行手段は、可変表示パターン決定手段による決定結果にもとづいて、識別情報の可変表示を実行し（例えば、ステップＳ５０６，Ｓ８４４を実行し）、可変表示パターンは、識別情報の可変表示が開始されてから識別情報の表示結果が導出表示されるまでに仮停止させた後に識別情報の可変表示を再度実行する再可変表示を所定回実行する再可変表示パターン（例えば、擬似連演出を伴う変動パターン）を含み、予告演出決定手段は、可変表示パターン決定手段によって再可変表示パターンに決定されているときには、複数の優先規則のうちの他の優先規則に比べて再可変表示が実行されることを予告する予告演出（本例では第４予告演出（擬似連予告演出））の優先順位が高い優先規則（本例では図３２（Ｃ）の優先規則テーブルに示される第３パターンまたは第４パターンの優先規則）にしたがって実行される予告演出の数が所定数未満となるように予告演出を決定する（例えば、ステップＳ５００６〜Ｓ５００７を実行する）こととしてもよい。そのような構成によれば、予告演出に関する設計をより柔軟にすることができ、遊技興趣を向上させることができる。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
光学記録キャリアに記録されたデータを再生するための再生装置であって、該装置は、
該光学記録キャリアに記録された該データを読み取るためのレーザ光源を備える光ヘッドと、
該レーザ光源の光出力を変調するためのレーザドライバユニットであって、該レーザドライバユニットは、該光出力を駆動して、該データの読み取り動作が中断された場合に、読み取りモードからレーザ寿命延長モードに変更するように適合されており、該レーザ寿命延長モードは、パルス光出力モードであり、該レーザドライバユニットは、パルスドライバ制御信号に応じて、所定のタイミングでレーザ駆動信号を出力するように適合されている、レーザドライバユニットと、
該レーザ駆動信号のタイミングを制御するための該パルスレーザドライバ制御信号と、該レーザ寿命延長モード中に該再生装置の１つ以上の回路ブロックの動作を制御するための少なくとも１つのタイミング信号とを生成および出力するように適合されているサンプリングコントローラであって、該レーザ寿命延長モード中に、該少なくとも１つのタイミング信号は、該パルスレーザドライバ制御信号の高レベルと同期させられており、該少なくとも１つのタイミング信号の周波数は、該パルスレーザドライバ制御信号の周波数と異なり、該１つ以上の回路ブロックは、フォーカスサーボサンプリングおよびホールド回路と、トラッキングサーボシステムとのうちの少なくとも１つを含む、サンプリングコントローラと
を備える、再生装置。
【請求項２】
前記レーザドライバユニットは、前記レーザ光源の前記光出力を駆動して、前記データの前記読み取り動作が再開された場合に、前記レーザ寿命延長モードから前記読み取りモードに変更するように適合されている、請求項１に記載の再生装置。
【請求項３】
前記レーザドライバユニットは、実質的に前記所定のタイミングで、高光出力レベルと低光出力レベルとの間で前記レーザ光源を切り替えさせるために、前記レーザ寿命延長モード中に、該所定のタイミングでレーザ駆動信号を出力するように適合されている、請求項１または請求項２に記載の再生装置。
【請求項４】
前記サンプリングコントローラは、前記読み取りモード中には、連続的なレーザドライバ制御信号出力を生成し、前記データの読み取り動作が中断された場合には、該連続的なレーザドライバ制御信号出力を前記パルスレーザドライバ制御信号出力に変更するように適合されている、請求項１に記載の再生装置。
【請求項５】
前記装置は、
前記レーザ光源の光出力を示すレーザ監視信号を受信して、該レーザ監視信号をサンプリングおよびホールドし、次いで、該レーザ監視信号を出力するように適合されるフィードバックサンプリングおよびホールド回路と、
入力レーザ監視信号および基準値に基づいて、前記レーザ駆動信号の値を調整することと、該入力レーザ監視信号を該基準値に収束させることとを行うように、前記レーザドライバユニットを制御するためのフィードバック信号を生成および出力するように適合されているフィードバック制御回路と
をさらに備え、該フィードバック制御回路は、該フィードバックサンプリングおよびホールド回路から該レーザ監視信号を受信するように適合され、
前記サンプリングコントローラは、該フィードバックサンプリングおよびホールド回路を制御して、該レーザ光源が高光出力レベルである場合には該受信されたレーザ監視信号をサンプリングし、少なくとも後続の低光出力レベルの持続時間中には該サンプリングされたレーザ監視信号をホールドするように、前記レーザ寿命延長モード中に、第１の所定のタイミングでフィードバックサンプリングおよびホールド信号を生成および出力するように適合されている、請求項１〜請求項４のうちのいずれか１項に記載の再生装置。
【請求項６】
前記装置は、
前記レーザ寿命延長モード中に、前記光学記録キャリアから反射されるレーザビームを示す信号に基づいて、該光学記録キャリアに入射するレーザビームのフォーカス制御を行うように適合されているフォーカスサーボシステムと、
前記フォーカスサーボサンプリングおよびホールド回路であって、該光学記録キャリアから反射される該レーザビームを示す信号を受信して、該受信された信号をサンプリングおよびホールドし、次いで、該信号を該フォーカスサーボシステムに出力するように適合される、フォーカスサーボサンプリングおよびホールド回路と
をさらに備え、前記サンプリングコントローラは、該フォーカスサーボサンプリングおよびホールド回路を制御して、前記レーザ光源が高光出力レベルである場合には該受信された信号をサンプリングし、少なくとも後続の低光出力レベルの持続時間中には該信号をホールドするように、該レーザ寿命延長モード中に、第２の所定のタイミングでフォーカスサンプリングおよびホールド信号を生成および出力するように適合されている、請求項１〜請求項５のうちのいずれか１項に記載の再生装置。
【請求項７】
前記装置は、
前記トラッキングサーボシステムであって、前記光学記録キャリアから反射されるレーザビームを示す信号に基づいて、該光学記録キャリアの記録トラックに入射するレーザビームのトラッキング制御を行うように適合されているトラッキングサーボシステムをさらに備え、
該トラッキングサーボシステムは、前記レーザ寿命延長モード中に、作動状態を維持され、
前記サンプリングコントローラは、該トラッキングサーボシステムを制御して、前記レーザ光源が高光出力レベルである場合に得られる該光学記録キャリアから反射された該レーザビームを示す信号に基づいて、該トラッキング制御を行うように、該レーザ寿命延長モード中に、第３の所定のタイミングでトラッキングサーボ制御信号を生成および出力するように適合されている、請求項１〜請求項６のうちのいずれか１項に記載の再生装置。
【請求項８】
前記レーザ寿命延長モード中に、前記サンプリングコントローラは、前記フィードバックサンプリングおよびホールド信号、フォーカスサンプリングおよびホールド信号、およびトラッキングサーボ制御信号のうちの少なくとも１つを、前記パルスレーザドライバ制御信号と同期させるように適合されている、請求項５〜請求項７のうちのいずれか１項に記載の再生装置。
【請求項９】
前記装置は、
前記光ヘッドによって読み取られ、かつ再生される、前記光学記録キャリアに記録されたデータを格納するように適合されているバッファと、
該バッファのフィルレベルを監視することと、該バッファのフィルレベルに基づいて、前記レーザ寿命延長モードと前記読み取りモードとの間の遷移を制御することとを行うように適合されているシステムコントローラと
をさらに備える、請求項１〜請求項８のうちのいずれか１項に記載の再生装置。
【手続補正書】
【提出日】平成27年5月14日(2015.5.14)
【手続補正１】
【補正対象書類名】明細書
【補正対象項目名】００２３
【補正方法】変更
【補正の内容】
【００２３】
【図１】第１の実施形態の光学部材の概略構成を示す断面模式図
【図２】設計変更例１の光学部材の概略構成を示す断面模式図
【図３】設計変更例２の光学部材の概略構成を示す断面模式図
【図４】微細凹凸層の平面視のＳＥＭ画像
【図５】微細凹凸層の断面視のＳＥＭ画像
【図６】凹凸層の膜厚、平坦層の膜厚とアルミニウムの成膜厚みとの関係を示す図
【図７】微細凹凸層および平坦層の屈折率を示す図
【図８】屈折率の微細凹凸構造高さ依存性を示す参考図
【図９】第２の実施形態の光学部材の概略構成を示す断面模式図
【図１０】成膜角度φを説明するための図
【図１１】曲面において周辺部での膜厚減少を示す成膜角度φ毎の反射率の波長依存性を示す図
【図１２】実施例１の光学部材について成膜角度φ毎の反射率の波長依存性を示す図
【図１３】実施例２の光学部材について成膜角度φ毎の反射率の波長依存性を示す図
【図１４】比較例１において、反射率総和のＳｉＯ２膜厚依存性を示す図
【図１５】比較例１の光学部材のうち、ＳｉＯ２膜厚１００ｎｍの場合の反射率の波長依存性を示す図
【手続補正２】
【補正対象書類名】明細書
【補正対象項目名】００３７
【補正方法】変更
【補正の内容】
【００３７】
図４は、作製した微細凹凸層の平面視のＳＥＭ画像であり、図５は、断面視のＳＥＭ画像である。
図５に示す通り、表面には微細凹凸層が形成され、基板と凹凸層との間に平坦層が形成されている。
【手続補正書】
【提出日】平成27年10月16日(2015.10.16)
【手続補正１】
【補正対象書類名】特許請求の範囲
【補正対象項目名】全文
【補正方法】変更
【補正の内容】
【特許請求の範囲】
【請求項１】
個別に発光を制御することができる制御エリアを複数を有する発光手段と、
検出対象の制御エリアの発光強度を検出する複数の検出手段と、
前記複数の検出手段による検出値を前記複数の検出手段それぞれと前記検出対象の制御エリアとの位置に応じて補正した値に基づき前記検出対象の制御エリアの発光量を制御する制御手段と、
を備えることを特徴とする発光装置。
【請求項２】
前記制御手段は、前記検出手段と前記検出対象の制御エリアとの距離が遠いほど、大きい係数を前記検出値に乗算して補正することを特徴とする請求項１に記載の発光装置。
【請求項３】
前記検出手段は、２以上の前記制御エリアの発光強度を検出することが可能であることを特徴とする請求項１又は２に記載の発光装置。
【請求項４】
前記検出対象の制御エリアは、複数の光源を有することを特徴とする請求項１から請求項３のいずれか１項に記載の発光装置。
【請求項５】
前記複数の光源の数は、前記複数の検出手段の数と同じ、または前記複数の検出手段の数よりも多いことを特徴とする請求項４に記載の発光装置。
【請求項６】
前記複数の光源それぞれは、複数の異なる色のうちいずれかの色で発光することが可能であり、
前記制御手段は、前記複数の異なる色のうちいずれかの色で発光する光源を発光させ、前記複数の検出手段による検出値を、前記複数の検出手段それぞれと当該光源との位置に応じて補正した値に基づいて当該光源の発光量を制御する請求項４又は請求項５に記載の発光装置。
【請求項７】
前記制御手段は、前記複数の検出手段の検出値を補正した値を積算した値に基づいて、前記検出対象の制御エリアの発光量を制御することを特徴とする請求項１から請求項６のいずれか１項に記載の発光装置。
【請求項８】
請求項１から請求項７のいずれか１項に記載の発光装置を備えることを特徴とする画像表示装置。
【請求項９】
個別に発光を制御することができる制御エリアを複数を有する発光手段を備える発光装置の制御方法であって、
検出対象の制御エリアの発光強度を複数の検出手段により検出する工程と、
複数の検出手段による検出値を前記複数の検出手段それぞれと前記検出対象の制御エリアとの位置に応じて補正した値に基づき前記検出対象の制御エリアの発光量を制御する工程と、
を有することを特徴とする発光装置の制御方法。
【手続補正２】
【補正対象書類名】明細書
【補正対象項目名】００１０
【補正方法】変更
【補正の内容】
【００１０】
本発明は、個別に発光を制御することができる制御エリアを複数を有する発光手段と、検出対象の制御エリアの発光強度を検出する複数の検出手段と、前記複数の検出手段による検出値を前記複数の検出手段それぞれと前記検出対象の制御エリアとの位置に応じて補正した値に基づき前記検出対象の制御エリアの発光量を制御する制御手段と、を備えることを特徴とする発光装置。 
【手続補正３】
【補正対象書類名】明細書
【補正対象項目名】００１１
【補正方法】変更
【補正の内容】
【００１１】
本発明は、個別に発光を制御することができる制御エリアを複数を有する発光手段を備える発光装置の制御方法であって、検出対象の制御エリアの発光強度を複数の検出手段により検出する工程と、前記複数の検出手段による検出値を前記複数の検出手段それぞれと前記検出対象の制御エリアとの位置に応じて補正した値に基づき前記検出対象の制御エリアの発光量を制御する工程と、を有する発光装置の制御方法である。
【手続補正書】
【提出日】平成27年10月14日(2015.10.14)
【手続補正１】
【補正対象書類名】特許請求の範囲
【補正対象項目名】全文
【補正方法】変更
【補正の内容】
【特許請求の範囲】
【請求項１】
２以上である第１の数の設定項目が選択可能に配置された設定領域を含む入力画面を表示する表示手段と、
前記入力画面上での操作を検知する検知手段と、
前記検知手段によって、前記設定領域上でフリック操作がされたことが検知されるのに従って、前記設定領域を拡大し、拡大された設定領域に配置される設定項目の数を前記第１の数よりも大きい第２の数に変更するとともに、前記フリック操作に応じて、前記拡大された設定領域上で前記設定項目を移動するように表示制御する表示制御手段と、
前記拡大された設定領域上で予め決められた選択領域にある設定項目を選択状態にする選択手段を備える
ことを特徴とする表示処理装置。
【請求項２】
前記選択可能な設定項目には、定型の設定に対応する定型設定項目と任意の設定に対応する任意設定項目とが含まれ、
前記表示制御手段は、前記拡大された設定領域上で、前記定型設定項目の表示を前記任意設定項目の表示と区別が付くように制御する
ことを特徴とする請求項１に記載の表示処理装置。
【請求項３】
前記表示制御手段は、前記拡大された設定領域上で、前記定型設定項目の色またはフォントを前記任意設定項目の色またはフォントと異ならしめる
ことを特徴とする請求項２に記載の表示処理装置。
【請求項４】
前記表示制御手段は、
前記拡大された設定領域上で前記定型設定項目が前記選択領域にあるかを判断し、
前記定型設定項目が前記選択領域にあると判断した場合に、前記選択領域にある前記定型設定項目を強調表示する
ことを特徴とする請求項１乃至３のいずれか１項に記載の表示処理装置。
【請求項５】
前記表示制御手段は、
前記定型設定項目が前記選択領域上にある時の前記設定領域上での設定項目の移動速度と前記定型設定項目が前記選択領域上にない時の前記設定領域上での設定項目の移動速度とを異ならしめる
ことを特徴とする請求項４に記載の表示処理装置。
【請求項６】
前記設定領域上の設定項目は、前記設定項目が示す機能に応じて予め決められた基準にしたがう配置順序で配置されており、
前記表示制御手段は、
前記設定領域上での設定項目の移動速度が予め決められた閾値を超えるかを判断し、前記設定項目の移動速度が前記閾値を超える場合に、特定の機能に対応する設定項目のみを前記設定領域上に表示する
ことを特徴とする請求項１乃至５のいずれか１項に記載の表示処理装置。
【請求項７】
前記設定領域上の設定項目は、前記設定項目に対応する数値に応じて予め決められた基準にしたがう配置順序で配置されており、
前記表示制御手段は、前記設定の移動速度が前記閾値を超える場合に、前記設定領域上で隣り合って配置される各々の設定項目に対応する数値の間隔が大きくなるように、特定の数値に対応する設定項目のみを前記設定領域上に表示する
ことを特徴とする請求項６に記載の表示処理装置。
【請求項８】
前記入力画面は、少なくとも倍率設定に対応する倍率設定項目が選択可能に配置された設定領域を含み、
前記倍率設定項目は、予め決められた用紙サイズを基準にした拡大率または縮小率が付与されている定型倍率の設定項目と、任意の倍率を指定するための任意倍率の設定項目とを含む
ことを特徴とする請求項２乃至７のいずれか１項に記載の表示処理装置。
【請求項９】
前記入力画面は、複数の前記設定領域を含み、
前記表示制御手段は、前記検知手段によって、前記設定領域上でフリック操作がされたことが検知された場合に、前記設定領域がハードキー入力が可能な設定領域であるかを判断し、前記設定領域がハードキー入力が可能な設定領域である場合に、前記ハードキー入力によって前記設定領域に対応する設定を指定できるように制御する
ことを特徴とする請求項１乃至８のいずれか１項に記載の表示処理装置。
【請求項１０】
前記選択手段は、前記検知手段によって、前記設定領域上でタッチダウン操作がされたことが検知された場合に、タッチダウンされた設定項目を選択状態とする
ことを特徴とする請求項１乃至９のいずれか１項に記載の表示処理装置。
【請求項１１】
前記表示制御手段は、前記検知手段によって、前記設定領域上でスワイプ操作、ダブルタップ操作または長押し操作のいずれかがされたことが検知された場合に、前記フリック操作がされたことが検知された場合の前記設定領域上で選択可能な設定項目に対応する設定とは異なる設定を選択可能な設定領域を表示する
ことを特徴とする請求項１乃至１０のいずれか１項に記載の表示処理装置。
【請求項１２】
表示処理装置の制御方法であって
２以上である第１の数の設定項目が選択可能に配置された設定領域を含む入力画面を表示する表示工程と、
前記入力画面上での操作を検知する検知工程と、
前記検知工程によって、前記設定領域上でフリック操作がされたことが検知されるのに従って、前記設定領域を拡大し、拡大された設定領域に配置される設定項目の数を前記第１の数よりも大きい第２の数に変更するとともに、前記フリック操作に応じて、前記拡大された設定領域上で前記設定項目を移動するように表示制御する表示制御工程と、
前記拡大された設定領域上で予め決められた選択領域にある設定項目を選択状態にする選択工程を有する
ことを特徴とする制御方法。
【請求項１３】
請求項１２に記載の制御方法をコンピュータに実行させることを特徴とするコンピュータプログラム。
【手続補正２】
【補正対象書類名】明細書
【補正対象項目名】０００６
【補正方法】変更
【補正の内容】
【０００６】
本発明の一実施形態の表示処理装置は、２以上である第１の数の設定項目が選択可能に配置された設定領域を含む入力画面を表示する表示手段と、前記入力画面上での操作を検知する検知手段と、前記検知手段によって、前記設定領域上でフリック操作がされたことが検知されるのに従って、前記設定領域を拡大し、拡大された設定領域に配置される設定項目の数を前記第１の数よりも大きい第２の数に変更するとともに、前記フリック操作に応じて、前記拡大された設定領域上で前記設定項目を移動するように表示制御する表示制御手段と、前記拡大された設定領域上で予め決められた選択領域にある設定項目を選択状態にする選択手段を備える。